(57)【要約】【課題】落水した場合、遭難の種類を選択することなく、ディストレスキーを操作するだけで、遭難の種類が『落水』とされた遭難信号を送信することができるようにする。【解決手段】遭難信号ＤＳを送信する機能を有する無線装置であり、自身が水面又は水中に落下したこと（以下、「落水」と呼ぶ）を検出すると落水信号ＷＥＴを出力する落水検出部７００と、自局の識別信号及び自局の位置信号とともに、少なくとも遭難の種類を含む遭難信号ＤＳを生成する制御部５００と、操作されるとディストレスキー操作信号４１１を制御部５００に出力するディストレスキー４１０とを備えており、制御部５００は、落水検出部７００から落水信号ＷＥＴが入力されると、遭難信号ＤＳに含まれる遭難の種類を自動的に「落水」とした遭難信号ＤＳを生成するように構成されている。【選択図】      図１
2018006903.tif 000002
【特許請求の範囲】
【請求項１】
遭難信号を送信する機能を有する無線装置において、
自身が水面又は水中に落下したこと（以下、「落水」と呼ぶ）を検出すると落水信号を出力する落水検出部と、
自局の識別信号及び自局の位置信号とともに、少なくとも遭難の種類を含む前記遭難信号を生成する制御部と、
操作されるとディストレスキー操作信号を前記制御部に出力するディストレスキーとを具備しており、
前記制御部は、前記落水検出部から落水信号が入力されると、前記遭難信号に含まれる前記遭難の種類を自動的に「落水」とした前記遭難信号を生成することを特徴とする無線装置。
【請求項２】
前記請求項１記載の無線装置において、
さらに電源部を具備しており、
前記落水検出部は、落水を検出すると前記落水信号を出力するとともに、前記電源部に対して落水時電力供給信号を出力し、
前記電源部は、前記無線装置の電源がオフの状態にある場合、前記落水時電力供給信号が入力されると前記制御部に電力を供給し、
前記制御部は、前記電源部から電力を供給されると前記無線装置全体のセットアップを開始するとともに、前記落水検出部から前記落水信号が入力されると、前記遭難信号に含まれる前記遭難の種類を自動的に「落水」とした前記遭難信号を生成することを特徴とする無線装置。
【請求項３】
前記請求項２記載の無線装置において、
前記制御部は、前記落水信号が予め設定された時間以上継続して入力されると、前記電源部に電力供給維持信号を出力し、
前記電源部は、前記電力供給維持信号が入力されると、前記制御部への電力の供給を維持することを特徴とする無線装置。
【請求項４】
前記請求項１、２又は３記載の無線装置において、
さらに送信部を具備しており、
前記制御部は、前記ディストレスキー操作信号が、予め設定した時間継続して入力されると、前記送信部に前記遭難信号を送信させることを特徴とする無線装置。
【発明の詳細な説明】
【技術分野】
【０００１】
本発明は、落水した際に遭難の種類を選択することなく素早く遭難信号を送信することができる無線装置に関する。
【背景技術】
【０００２】
デジタル選択呼出機能（ＤＳＣ機能）を搭載した船舶用の無線装置には、船舶又は人が遭難して救助が必要な非常時に遭難信号を送信することができる機能が設けられている。かかる無線装置には、他のスイッチからは独立して、遭難信号を送信するためのディストレスキーが設けられている。
このディストレスキーには誤って操作されることにより遭難信号が送信されないように、スイッチカバーが設けられており、ディストレスキー自体又はスイッチカバーは、赤色に彩色されている。また、遭難信号は、ディストレスキーを３秒間継続して操作し続けないと送信されないようになっている。
すなわち、この種の遭難信号は、スイッチカバーを開ける、ディストレスキーを３秒間操作し続ける、という一連の動作があって初めて送信されるようになっている。
なお、この遭難信号には、自局のＩＤコードであり９桁の数字からなるＭＭＳＩ（Maritime Mobile Service Identity）、自局の位置情報、時刻情報、遭難の種類が含まれている。遭難の種類には、火災・爆発(Explosion) 、浸水(Flooding)、衝突(Collsion)、座礁(Grounding) 、転覆(Capsizing) 、沈没(Sinking) 、操船不能／漂流(Adrift)、海賊の攻撃(Piracy)、船体の放棄(Abandoning)、落水（ＭＯＢ）、その他の遭難(Undesignated distress) の１１種類がある。この遭難の種類は、キースイッチを操作することで選択するようになっている。
なお、この種の遭難信号を送信する機能は、船舶用の無線装置に限定されず、陸上用の無線装置にも搭載されているものがある。
【０００３】
この種の遭難信号を送信する無線装置としては、実開昭５７−１８１１４７号公報記載のものがある。
【０００４】
【特許文献１】実開昭５７−１８１１４７号公報
【発明の開示】
【発明が解決しようとする課題】
【０００５】
しかしながら、この特許文献１記載の無線装置は、遭難の種類が予め割り当てられた複数のキースイッチを設けておき、遭難の種類に応じて操作すべきキースイッチを選択して操作するというものである。従って、この特許文献１記載の無線装置では、落水の場合には『落水』が割り当てられたキースイッチを選択して操作する必要がある。
また、このような複数のキースイッチがない従来の無線装置では、遭難信号を送信する前に遭難の種類をキースイッチを一定の順序で操作してマニュアルで選択する必要があった。
無線装置の電源がオン状態であっても、無線装置とともに落水した者がキースイッチを操作して遭難の種類のうち『落水』を選択し、その後にディストレスキーを操作することは非常に困難である。
さらに、無線装置の電源がオフ状態であると、無線装置とともに落水した者が電源キーを操作し、キースイッチを操作して遭難の種類のうち『落水』を選択し、その後にディストレスキーを操作することは、無線装置の電源がオンの状態の場合よりも困難である。
【０００６】
本発明は、上記事情に鑑みて創案されたもので、無線装置の操作者が無線装置とともに落水した場合、遭難の種類を選択することなく、ディストレスキーを操作するだけで、遭難の種類が『落水』とされた遭難信号を送信することができる無線装置を提供することを目的としている。
【課題を解決するための手段】
【０００７】
本発明に係る無線装置は、遭難信号を送信する機能を有する無線装置であって、自身が水面又は水中に落下したこと（以下、「落水」と呼ぶ）を検出すると落水信号を出力する落水検出部と、自局の識別信号及び自局の位置信号とともに、少なくとも遭難の種類を含む前記遭難信号を生成する制御部と、操作されるとディストレスキー操作信号を前記制御部に出力するディストレスキーとを備えており、前記制御部は、前記落水検出部から前記落水信号が入力されると、前記遭難信号に含まれる前記遭難の種類を自動的に「落水」とした前記遭難信号を生成するように構成されている。
【発明の効果】
【０００８】
本発明に係る無線装置は、無線装置が落水したことが落水検出部によって検出されると、遭難信号に含まれる遭難の種類を自動的に『落水』とした遭難信号が生成されるので、素早い遭難信号の送信が可能になっている。
【図面の簡単な説明】
【０００９】
【図１】本発明の実施の形態に係る無線装置の概略的ブロック図である。
【図２】本発明の実施の形態に係る無線装置の外観図であって、同図（Ａ）が概略的正面図、同図（Ｂ）は概略的側面図、同図（Ｃ）は概略的背面図である。
【図３】本発明の実施の形態に係る無線装置の電源がオンの動作の前半を示す概略的フローチャートである。
【図４】本発明の実施の形態に係る無線装置の電源がオンの動作の後半を示す概略的フローチャートである。
【図５】本発明の実施の形態に係る無線装置の電源がオフの動作の前半を示す概略的フローチャートである。
【図６】本発明の実施の形態に係る無線装置の電源がオフの動作の後半を示す概略的フローチャートである。
【発明を実施するための形態】
【００１０】
本発明の実施の形態に係る無線装置１０００は、遭難信号ＤＳを送信する機能を有する無線装置であって、自身が水面又は水中に落下したこと（以下、「落水」と呼ぶ）を検出すると落水信号ＷＥＴを出力する落水検出部７００と、自局の識別信号及び自局の位置信号とともに、少なくとも遭難の種類を含む前記遭難信号ＤＳを生成する制御部５００と、操作されるとディストレスキー操作信号４１１を前記制御部５００に出力するディストレスキー４１０とを備えており、前記制御部５００は、前記落水検出部７００から前記落水信号ＷＥＴが入力されると、前記遭難信号ＤＳに含まれる前記遭難の種類を自動的に「落水」とした前記遭難信号ＤＳを生成するように構成されている。
【００１１】
この無線装置１０００は、マリンＶＨＦバンドの無線通信を行うものである。代表例として、デジタル選択呼出機能（ＤＳＣ機能）を搭載した船舶用のハンディータイプの無線装置が挙げられる。この種の船舶用の無線装置１０００は、遭難して救助が必要なときに、遭難信号ＤＳを送信する機能を有している。そして、他のスイッチからは独立して設けられたディストレスキー４１０を操作することで遭難信号ＤＳが送信されるようになっている。
前記遭難信号ＤＳには、自局のＩＤコードであるＭＭＳＩ、自局の位置情報、時刻情報、遭難の種類を含ませる必要がある。遭難の種類には、火災・爆発(Explosion) 、浸水(Flooding)、衝突(Collsion)、座礁(Grounding) 、転覆(Capsizing) 、沈没(Sinking) 、操船不能／漂流(Adrift)、海賊の攻撃(Piracy)、船体の放棄(Abandoning)、落水（ＭＯＢ）、その他の遭難(Undesignated distress) の１１種類がある。
この遭難の種類は、通常はメニュー画面をディスプレイ２００に表示させ、所定のキースイッチを操作することで選択するようになっている。
【００１２】
この無線装置１０００は、本体１１０の上面にアンテナ１２０を設けた外観を呈している。無線装置１０００は、電源として軽量かつ大容量のリチウムイオン電池を用いたこと等により全体の重量が軽量化され、筐体１１１が防水されていることと相まって、水に落下したときでも沈むことがなく、水面に浮き上がる。なお、本明細書では水面又は水中に落下することを便宜上「落水」と呼ぶ。
【００１３】
この無線装置１０００は、落水するとＬＥＤ等の発光素子が点減し、それと同時に落水アラーム音が放音され、落水したことと自身の所在位置とをユーザーに知らせるように構成されている。
また、この無線装置１０００は、落水状態から取り上げられると、発光素子の点減と落水アラーム音の放音を停止し、スピーカーグリル１１２から水を抜くための排水音を放音するように構成されている。
【００１４】
次に、本発明の第１の実施の形態に係る無線装置１０００の外観について、図２を参照しつつ詳細に説明する。
上述したように、無線装置１０００は、筐体１１１を含む本体１１０及び筐体１１１の上面に上方に向けて設けられたアンテナ１２０を有する外観を呈している。このアンテナ１２０は、コイル状のアンテナ線を樹脂パイプに収納したロッド状のアンテナである。アンテナ線は、銅線又は鉄線であるため重量があり、このアンテナ１２０の重量によって、無線装置１０００の全体の重量バランスは上部に偏っている。
【００１５】
筐体１１１の前面には、上から順に、ディスプレイ２００、キーパネル１１４、スピーカーグリル１１２が設けられている。
スピーカーグリル１１２の内部には、スピーカーＳＰが設けられている。筐体１１１の向かって左側面には、ＰＴＴ（プッシュ・トゥ・トーク）スイッチ１１５が設けられている。筐体１１１の上面のアンテナ１２０の向かって左側には防水キャップが被せられたＳＰ／ＭＩＣコネクタ１１６が設けられている。
【００１６】
ディスプレイ２００は、液晶ディスプレイであり、背面にバックライトとしてのＬＥＤを有している。このディスプレイ２００には、通信チャンネル、音量の他、各種の設定事項が表示される。
キーパネル１１４には、電源キー３５５（図１参照）やテンキーを含む複数のキースイッチが配置されている。電源キー３５５は、電源をオン／オフするためのキースイッチである。無線装置１０００の電源がオフのとき、この電源キー３５５が一定時間以上（例えば、２秒以上）押圧操作されると、電源制御回路６３０から電源回路６２０に対して電力供給信号６３１が出力される。この電力供給信号６３１を受けた電源回路６２０は、継続してバッテリ６１０の電力Ｖｃｃを無線装置１０００の各部へと供給する。
無線装置１０００の電源がオンのとき、電源キー３５５が一定時間以上（例えば、２秒以上）押圧操作されると、バッテリ６１０から無線装置１０００の各部へと供給されていた電力Ｖｃｃの供給が停止される。
【００１７】
また、このキーパネル１１４の背面にはバックライトとしてのＬＥＤが設けられている。キーパネル１１４の各キースイッチは、キートップが光を透過させる材質及び色となっており、バックライトの点灯により背面から照射される。
【００１８】
筐体１１１の背面の上部左右に設けられた一対の電極７１０は、落水検出部７００の一部を構成するものであって、無線装置１０００が落水したとき、水を介して短絡することによって相互に導通する。無線装置１０００の制御部５００は、この一対の電極７１０の短絡によって無線装置１０００が落水したことを検出する。
なお、この一対の電極７１０の設置箇所は上述したものに限定されず、無線装置１０００が落水したときに確実に水を介して短絡される箇所であればどのような箇所であってもよい。
【００１９】
さらに、筐体１１１の背面には、ディストレスキー４１０が設けられている。このディストレスキー４１０には、押圧しているときのみオンされるいわゆる自己復帰型のプッシュスイッチが使用される。
なお、このディストレスキー４１０は、筐体１１１の背面以外、例えば正面や側面に設けることができるのはいうまでもない。
【００２０】
また、この無線装置１０００には、前記バックライトとしてのＬＥＤ以外にも、落水した際に点減するＬＥＤ等の発光素子を設けておくことも可能である。
【００２１】
前記落水検出部７００は、上述した一対の電極７１０の他に、検出回路７２０と、検出スイッチ７３０とを有している。検出回路７２０は、一対の電極７１０が水を介して短絡したことを検出するとともに、短絡したことを検出すると落水信号ＷＥＴを制御部５００及び検出スイッチ７３０へ出力する。検出スイッチ７３０は、落水信号ＷＥＴを受けとると、電源部６００の電源回路６２０へ落水時電力供給信号７０１を出力する。
【００２２】
この無線装置１０００の電源部６００は、バッテリ６１０と、電源回路６２０と、電源制御回路６３０とを有している。電源回路６２０は、バッテリ６１０の電力Ｖｃｃを無線装置１０００の各部へ供給する。電源制御回路６３０は、電源キー３５５やディストレスキー４１０の操作を受けて、電源回路６２０にバッテリ６１０の電力Ｖｃｃを各部へ供給するよう制御する。
【００２３】
また、この無線装置１０００の制御部５００はＣＰＵに加えて、メモリ、各種のインターフェイス、Ａ／Ｄコンバータ、Ｄ／Ａコンバータ等を備えたいわゆるマイクロコントローラであり、無線装置１０００の全体動作を制御する。この制御部５００には、ディストレスキー４１０が操作されている時間、すなわちディストレスキー操作信号４１１が継続して制御部５００に入力されている時間をカウントするカウンタ５１０が設けられている。
【００２４】
次に、図３及び図４を参照しつつ、本発明の実施の形態に係る無線装置１０００の電源がオンの時のより詳細な動作を説明する。
電源がオンされている無線装置１０００は、通常の動作、すなわち  通常の通信、操作等が可能な状態にある（図３のＳ１on）。
かかる状態にある無線装置１０００では、制御部５００は遭難信号ＤＳを生成していない。ただし、遭難信号ＤＳに組み込まれるべき遭難の種類としては、初期値の『undesignated distress （その他の遭難）』が予め選択されている。
【００２５】
この状態にある無線装置１０００が落水すると、筐体１１１の背面の上部左右に設けられた一対の電極７１０が水を介して短絡し、落水検出部７００の検出回路７２０は落水したことを示す落水信号ＷＥＴを制御部５００に対して出力する（図３のＳ２on）。
【００２６】
この落水信号ＷＥＴが所定時間（例えば、１０ｍｓ以上）継続して制御部５００に入力されると（図３のＳ３onでＹＥＳ）、制御部５００は、遭難の種類のうち『落水』を選択し、遭難信号ＤＳに含まれる遭難の種類として『落水』を自動的に登録する。さらに、制御部５００は、この遭難の種類の登録と同時に、遭難信号ＤＳに含まれるべき他の情報、すなわち自局のＩＤコードであるＭＭＳＩ、自局の位置情報、時刻情報を図示しない記憶部等から取得し、これらを組み込んで遭難信号ＤＳを生成する（図３のＳ４on）。
【００２７】
また、制御部５００は、上記遭難信号ＤＳの生成と同時に無線装置１０００内に設けられているバックライトとしてのＬＥＤ等の発光素子の点減を開始する（図３のＳ４on）。また、制御部５００は、発光素子の点減の開始とともに、落水アラーム音を放音する。発光素子の点減及び落水アラーム音の放音は、落水したことと自身の所在位置とを周囲の者に知らせることができるようにするためのものである。
なお、落水信号ＷＥＴが、１０ｍｓ以上継続して制御部５００に入力されて初めて『落水』が選択される構成とされているのは、一対の電極７１０に単に水しぶきがかかり、一瞬、一対の電極７１０が短絡したような状態を落水と判断してしまうことを防止するためでもある。
【００２８】
落水信号ＷＥＴが制御部５００に入力されてから１０ｍｓ未満で停止されると、制御部５００は無線装置１０００を通常の動作に復帰させる（図３のＳ３onでＮＯ）。すなわち、落水信号ＷＥＴの出力が、落水したのではなく、無線装置１０００に単に水しぶきがかかったなどの要因に起因する場合には、制御部５００は遭難の種類から『落水』を選択することもないし、遭難信号ＤＳを自動的に生成することもない。
【００２９】
落水信号ＷＥＴが１０ｍｓ以上継続して制御部５００に入力されて遭難信号ＤＳが生成された状態で、ディストレスキー４１０が操作され、ディストレスキー操作信号出力４１１が制御部５００に入力されると（図３のＳ５onでＹＥＳ）、制御部５００は、カウンタ５１０の動作を開始させる。カウンタ５１０は、ディストレスキー操作信号４１１が制御部５００に継続して入力されている時間をカウントする。
このカウンタ５１０の動作の開始と同時に、制御部５００はディスプレイ２００にディストレスキー操作信号４１１の入力が継続されている時間を表示させるとともに、ディストレスキー４１０が操作されていることを示すアラーム音の放音を開始する（図３のＳ６on）。
なお，このアラーム音は、落水した時に発せられる落水アラーム音とは明確に聞き分けることができるものを使用することが望ましい。
【００３０】
そして、ディストレスキー操作信号４１１が制御部５００に継続して入力されている時間が予め設定された時間（例えば、３秒間）に達したならば（図３のＳ７onでＹＥＳ）、制御部５００は送信部８００に遭難信号ＤＳを送信させる（図３のＳ８on）。
なお、この遭難信号ＤＳは、自局のＩＤコードであるＭＭＳＩ、自局の位置情報、時刻情報及び遭難の種類『落水』が組み込まれたものである。
【００３１】
なお、Ｓ８onで遭難信号ＤＳが送信されると、制御部５００は発光素子の点減を停止する（図３のＳ９on）。ディストレスキー４１０が操作され、遭難信号ＤＳが送信されたということは、落水したユーザーが無線装置１０００を確保し、遭難信号ＤＳの送信に必要な処理（ディストレスキー４１０の操作）を行なったことを意味するので、以後の無駄な電力の消費を抑えるために発光素子の点減を停止するのである。
【００３２】
ただし、Ｓ９onで発光素子の点減が停止されてからある一定の時間（例えば、１０秒間）が経過し、まだ落水信号ＷＥＴが制御部５００に継続して入力されていたならば（図３のＳ１０onでＹＥＳ）、制御部５００は発光素子の点減を再開する（図４のＳ１１on）。この発光素子の点減の再開は、ディストレスキー４１０は操作されたが、いまだに落水状態にある無線装置１０００、ひいては落水した者を船上の者から発見しやすくするために行なわれる。
【００３３】
発光素子の点減が再開された後、落水信号ＷＥＴが制御部５００に入力されなくなり（図４のＳ１２onでＹＥＳ）、その状態が３０秒間経過したならば（図４のＳ１３onでＹＥＳ）、制御部５００は、遭難の種類を『落水』から初期値である『undesignated distress （その他の遭難）』に戻し（図４のＳ１４on）、無線装置１０００を落水信号ＷＥＴが出力される前の状態に復帰させる（図３のＳ１on）。
【００３４】
なお、Ｓ５onでディストレスキー操作信号４１１が制御部５００に入力されず（図３のＳ５onでＮＯ）、その後に落水信号ＷＥＴが制御部５００に入力されなくなり（図３のＳ１５onでＹＥＳ）、落水信号ＷＥＴが制御部５００に入力されなくなってから一定時間（例えば、３０秒間）が経過した場合（図３のＳ１６onでＹＥＳ）、制御部５００は、遭難の種類を『落水』から初期値である『undesignated distress （その他の遭難）』に戻し（図３のＳ１７on）、無線装置１０００を落水信号ＷＥＴが出力される前の状態に復帰させる（図３のＳ１on）。
この状態は遭難信号ＤＳを送信する前に無線装置１０００が水中から取り上げられた、すなわち落水した者と無線装置１０００とが落水状態から復帰し、遭難信号ＤＳを送信する必要がなくなったと考えられるためである。
また、この無線装置１０００は、落水状態から復帰した後、スピーカーグリル１１２から水を抜いてスムーズな通話を確保するため、排水音を放音するように構成されている。
【００３５】
次に、図５〜図６を参照しつつ、本発明の実施の形態に係る無線装置１０００の電源がオフの時のより詳細な動作を説明する。
電源がオフされている無線装置１０００は、通常の動作、すなわち  通常の通信、操作等が不可能な状態にある（図５のＳ１off ）。
【００３６】
無線装置１０００が落水すると、筐体１１１の背面の上部左右に設けられた一対の電極７１０が水を介して短絡し、落水検出部７００の検出回路７２０は落水したことを示す落水信号ＷＥＴを制御部５００と、検出スイッチ７３０とに対して出力する（図５のＳ２off でＹＥＳ）。
また、落水検出部７００の検出スイッチ７３０は、検出回路７２０から入力された落水信号ＷＥＴを受けて、落水時電力供給信号７０１を電源部６００の電源回路６２０に対して出力する（図５のＳ３off ）。
この落水時電力供給信号７０１を受けた電源回路６２０は、バッテリ６１０の電力Ｖｃｃを制御部５００や無線装置１０００のその他の各部へ供給し始める（図５のＳ４off ）。
落水信号ＷＥＴが入力され、かつ電力Ｖｃｃの供給を受けた制御部５００は、無線装置１０００全体のセットアップを開始する（図５のＳ５off ）。
【００３７】
なお、この時点では、電力Ｖｃｃは、無線装置１０００のセットアップに必要な制御部５００やその他の部分に対しては供給されているが、セットアップに不必要な部分、例えばディスプレイ２００には供給されていない。従って、この時点ではディスプレイ２００にはなにも表示されない（図５のＳ５off ）。
また、この時点における電力Ｖｃｃの供給は継続的なものではない。すなわち、落水信号ＷＥＴが停止されて、落水時電力供給信号７０１が電源回路６２０に入力されなくなると、電力Ｖｃｃの供給は即座に停止される。
また、制御部５００は、セットアップと同時に、発光素子の点減の開始とともに、落水アラーム音を放音する。発光素子の点減及び落水アラーム音の放音は、落水したことと自身の所在位置とを周囲の者に知らせることができるようにするためのものである。
【００３８】
落水信号ＷＥＴが、予め設定された時間（例えば、１０ｍｓ）以上継続して制御部５００へ入力されると（図５のＳ６off でＹＥＳ）、制御部５００は電力供給維持信号５２０を電源制御回路６３０に出力する（図５のＳ７off ）。この電力供給維持信号５２０を受けた電源制御回路６３０は、バッテリ６１０の電力Ｖｃｃを継続的に無線装置１０００全体、すなわち制御部５００やその他の各部へ供給するように電源回路６２０を制御する（図４のＳ８off ）。
【００３９】
これと同時に、制御部５００は遭難の種類のうち『落水』を選択し、遭難信号ＤＳに含まれる遭難の種類として『落水』を自動的に登録する（図５のＳ９off ）。なお、制御部５００は、この遭難の種類の登録と同時に、遭難信号ＤＳに含ませるべき他の情報、すなわち自局のＩＤコードであるＭＭＳＩ及び自局の位置情報、時刻情報を図示しない記憶部等から自動的に取得し、これらを組み込んで遭難信号ＤＳを生成する。
【００４０】
また、制御部５００は、上記遭難信号ＤＳの生成と同時に無線装置１０００内に設けられているＬＥＤ等の発光素子の点減を開始する（図５のＳ９off ）。また、制御部５００は、発光素子の点減の開始とともに、落水アラーム音を放音する。発光素子の点減及び落水アラーム音の放音は、落水したことと自身の所在位置とを周囲の者に知らせることができるようにするためのものである。
なお、落水信号ＷＥＴが、１０ｍｓ以上継続して落水信号ＷＥＴの制御部５００に入力されて初めて『落水』が選択される構成とされているのは、一対の電極７１０に単に水しぶきがかり、一瞬、一対の電極７１０が短絡したような状態を落水と判断してしまうことを防止するためでもある。
【００４１】
落水信号ＷＥＴが制御部５００に入力されてから１０ｍｓ未満で停止されると、制御部５００は無線装置１０００をオフの状態に復帰させる（図５のＳ６off でＮＯ）。すなわち、落水信号ＷＥＴの出力が、無線装置１０００に単に水しぶきがかかったなどの要因に起因する場合には、落水したのではないため、無線装置１０００はオフ状態に復帰し、制御部５００が遭難の種類から『落水』を選択することもないし、遭難信号ＤＳを自動的に生成することもない。
【００４２】
落水信号ＷＥＴが１０ｍｓ以上継続して制御部５００に入力されて遭難信号ＤＳが生成された状態で、ディストレスキー４１０が操作され、ディストレスキー操作信号４１１が制御部５００に入力されると（図５のＳ１０off でＹＥＳ）、制御部５００は、カウンタ５１０の動作を開始させる。カウンタ５１０は、ディストレスキー操作信号４１１が継続して制御部５００に入力されている時間をカウントする。
このカウンタ５１０の動作の開始と同時に、制御部５００はディスプレイ２００にディストレスキー操作信号４１１が継続して制御部５００に入力されている時間を表示させるとともに、ディストレスキー４１０が操作されていることを示すアラーム音の放音を開始する（図５のＳ１１off ）。
なお，このアラーム音は、落水した時に発せられる落水アラーム音とは明確に聞き分けることができるものを使用することが望ましい。
【００４３】
このディストレスキー操作信号４１１が継続して制御部５００に入力されている時間が予め設定された時間（例えば、３秒間）に達したならば（図５のＳ１２off ）、制御部５００は遭難信号ＤＳを送信部８００に送信させる（図６のＳ１３off ）。
なお、この遭難信号ＤＳは、自局のＩＤコードであるＭＭＳＩ、自局の位置情報、時刻情報及び遭難の種類『落水』が組み込まれたものである。
【００４４】
なお、Ｓ１３off で遭難信号ＤＳが送信されると、発光素子の点減は停止される（図６でＳ１４off ）。ディストレスキー４１０が操作され、遭難信号ＤＳが送信されたということは、落水した者が無線装置１０００を確保していることを意味するので、無駄な電力Ｖｃｃの消費を抑えるために発光素子の点減を停止する。
【００４５】
ただし、ディストレスキー４１０が操作されて発光素子の点減が停止されてからある一定の時間（例えば、１０秒間）が経過し、まだ落水信号ＷＥＴが制御部５００に継続して入力されていたならば（図６のＳ１５off でＹＥＳ）、発光素子の点減を再開する（図６のＳ１６off ）。この発光素子の点減の再開は、ディストレスキー４１０は操作されたが、いまだに落水状態にある無線装置１０００、ひいては落水した者を船上の者から発見しやすくするために行なわれる。
【００４６】
発光素子の点減が再開された後、落水信号ＷＥＴが制御部５００に入力されなくなり（図６のＳ１７off でＹＥＳ）、その状態が３０秒間経過したならば（図６のＳ１８off でＹＥＳ）、制御部５００は、遭難の種類を『落水』から初期値である『undesignated distress （その他の遭難）』に戻し（図６のＳ１９off ）、無線装置１０００を初期状態、すなわち落水信号ＷＥＴが出力される前の電源がオフされた状態に復帰させる（図５のＳ１off ）。
【００４７】
なお、Ｓ１０off でディストレスキー操作信号４１１が制御部５００に入力されず、その後に落水信号ＷＥＴが制御部５００に入力されなくなり（図５のＳ２０off でＹＥＳ）、落水信号ＷＥＴが制御部５００に入力されなくなってから一定時間（例えば、３０秒間）が経過した場合（図５のＳ２１off でＹＥＳ）、制御部５００は、遭難の種類を『落水』から初期値に戻し（図５のＳ２２off ）、無線装置１０００を初期状態、すなわち落水信号ＷＥＴが出力される前の電源がオフされた状態に復帰させる（図５のＳ１off ）。
この状態は遭難信号ＤＳを送信する前に無線装置１０００が水中から取り上げられた、すなわち落水した者と無線装置１０００とが落水状態から復帰し、遭難信号ＤＳを送信する必要がなくなったと考えられるためである。
また、この無線機１０００は、落水状態から復帰した後、スピーカーグリル１１２から水を抜いてスムーズな通話を確保するため、排水音を放音するように構成されている。
【００４８】
上述した実施の形態に係る無線装置１０００では、落水するとＬＥＤ等の発光素子の点減が開始され、それと同時に落水アラーム音の放音も開始されるとしたが、発光素子の点減や落水アラーム音の放音がされない構成とすることも可能である。
さらに、上述した実施の形態に係る無線装置１０００では、ディストレスキー４１０が操作されても発光素子の点減やアラーム音の放音が開始されるとしたが、発光素子の点減やアラーム音の放音がされない構成とすることも可能である。
【００４９】
なお、上述した実施の形態では、船舶用のハンディータイプの無線装置１０００を例にあげたが、本発明はこれに限定されるものではなく、据え付け式のものにも適用可能であるし、陸上用のものであってもよいことはいうまでもない。
【符号の説明】
【００５０】
１０００  無線装置
４１０    ディストレスキー
４１１    ディストレスキー操作信号
５００    制御部
７００    落水検出部
ＷＥＴ    落水信号
ＤＳ      遭難信号
【図１】
2018006903.tif 000003
【図２】
2018006903.tif 000004
【図３】
2018006903.tif 000005
【図４】
2018006903.tif 000006
【図５】
2018006903.tif 000007
【図６】
2018006903.tif 000008